(57)【要約】      （修正有）【課題】音響校正の際、操作性に優れ、従来のソフトケースに比べ、校正精度や操作性をあげる音響校正器用ソフトケースを提供する。【解決手段】略直方体形状の音響校正器の出し入れを行う開口部６を持つケース本体５と、開口部の辺縁部に接続され、かつ、接続の反対側の他端は自由端とするカバー部８とからなる音響校正器用ソフトケースであって、ケース本体のマイク挿入面７に音響校正器のマイクロホン挿入口に対応するマイク挿入穴部７Ａを備え、音響校正時はマイク挿入穴面の反対側の側面を覆うようにカバー部をケース本体に係止する手段を設け、収容時は開口部及びマイク挿入穴部を覆うようにカバー部をケース本体に係止する手段を設けた。音響校正器を使用する際に、カバー部が垂れ下がる事が無く、さらに風によるカバー部のバタつきを防止するので、校正の精度や操作性を上げることができる。【選択図】図２
0003212879.tif 000002
【実用新案登録請求の範囲】
【請求項１】
略直方体形状の音響校正器の出し入れを行う開口部を持つケース本体と、前記ケース本体の前記開口部の辺縁部に接続され、かつ、接続の反対側の部分となる他端は自由端とするカバー部とからなる音響校正器を収容・保護するソフトケースにおいて、前記ケース本体のマイク挿入面には音響校正器のマイクロホン挿入口に対応するマイク挿入穴部を備え、音響校正時は前記マイク挿入穴部を表面に出して前記カバー部を前記ケース本体に係止する手段を設け、収容時は前記開口部及び前記マイク挿入穴部を覆うように前記カバー部を前記ケース本体に係止する手段を設けた事を特徴とする音響校正器のソフトケース。
【請求項２】
前記マイク挿入面は前記カバー部が接続する前記ケース本体の側面に対向する側面であり、音響校正時に前記カバー部を前記ケース本体に係止する手段として、前記開口部に対向する側面の表面と前記カバー部の一端の表面に少なくとも一対の係止部を設けた事を特徴とする請求項１記載の音響校正器のソフトケース。
【請求項３】
前記係止部は、スナップボタンまたはフックまたは面ファスナーである、ことを特徴とする請求項２記載の音響校正器のソフトケース。
【請求項４】
ケース本体の前記マイク挿入面に設けた前記マイク挿入穴部の直径を前記音響校正器のマイクロホンのサイズに応じたアダプタの外径より大きくすることを特徴とする請求項１記載の音響校正器のソフトケース。
【考案の詳細な説明】
【技術分野】
【０００１】
本考案は音響校正器等の電子機器を収容するソフトケースに関するものである。
【背景技術】
【０００２】
マイクロホンを使用する騒音計等の音響測定器の精度を維持するためには、定期的にマイクロホンの音響校正を行う必要があり、そのため一般に音響校正器が用いられている。
一般に携帯可能な電子機器には、特許文献１のように、塵や水滴、衝撃からの保護用として、ソフトケースを付属している。
【０００３】
一般的には、ソフトケースから取り出して音響校正器のみを騒音計等に取り付けて校正を行うが、以下のようなソフトケースがある。
図５のように、音響校正器用ソフトケースは、音響校正器のマイクロホンの挿入口に対応する部分にマイクロホンの直径より大きい挿入穴部を設けた構成のものがある。収容した音響校正器をソフトケースから取り出すことなく、騒音計等の校正が可能なようにするためである。
【先行技術文献】
【特許文献】
【０００４】
【特許文献１】特開１９９６−２９３６８２号公報
【考案の概要】
【考案が解決しようとする課題】
【０００５】
前記の図５では、騒音計の校正時において、音響校正器を上にし、騒音計を下に配置する。このとき、カバー部が垂れ下がるため、煩わしいものであった。加えてカバー部が風などでバタつき、突発的なノイズの要因となる場合があった。従来では、このように垂れ下がったカバー部が校正精度に悪影響を与える課題認識がなかった。
【課題を解決するための手段】
【０００６】
上記課題を解決するために、第一考案によれば、略直方体形状の音響校正器の出し入れを行う開口部を持つケース本体と、このケース本体の開口部の辺縁部に接続され、かつ、接続の反対側の部分となる他端は自由端とするカバー部とからなる音響校正器を収容・保護するソフトケースにおいて、ケース本体のマイク挿入面には音響校正器のマイクロホン挿入口に対応するマイク挿入穴部を備え、音響校正時はこのマイク挿入穴部を表面に出してカバー部をケース本体に係止する手段を設け、収容時は開口部及び前記マイク挿入穴部を覆うようにカバー部をケース本体に係止する手段を設けた事を特徴とする音響校正器のソフトケースが提供される。
【０００７】
また、第二考案によれば、請求項２記載の音響校正器を収容・保護するソフトケースにおいて、マイク挿入面はカバー部が接続するケース本体の側面に対向する側面であり、音響校正時にカバー部をケース本体に係止する手段として、開口部に対向する側面の表面とカバー部の一端の表面に少なくとも一対の係止部を設けた事を特徴とする。
【０００８】
さらに、第三考案によれば、請求項１記載の音響校正器を収容・保護するソフトケースにおいて、係止部は、スナップボタンまたはフックまたは面ファスナーであることを特徴とする。
【０００９】
さらにまた、第四考案によれば、音響校正器はマイクロホンの直径に応じたアダプタを備え、請求項１記載の音響校正器を収容・保護するソフトケースにおいて、ケース本体のマイク挿入面に設けたマイク挿入穴部の直径を音響校正器のマイクロホンのサイズに応じたアダプタの外径より大きくすることを特徴とする。
【考案の効果】
【００１０】
本考案の構成によれば、収容時、ソフトカバーが音響校正器本体を覆い、その外表面を保護する。音響校正器を使用する際には、カバー部を外し、マイク挿入面の反対側の側面を覆うようにケース本体に係止することで、カバー部が垂れ下がる事による煩わしさを無くし、さらに、風などによるカバー部のバタつきを防止するので音響校正器を保護する機能ばかりでなく、校正の精度や操作性を上げることができる。
【図面の簡単な説明】
【００１１】
【図１】図１は、音響校正器の収容時のカバー部を係止した一例を示した斜視図である。
【図２】図２は、ソフトケース４のカバー部を開けた一例を示した斜視図である。
【図３】図３は、音響校正器を収容したソフトケース４のカバー部を開けた一例を示した斜視図である。
【図４】図４は、音響校正時のソフトケース４のカバー部を係止した例を示した斜視図である。
【図５】図５は、公知例の使用状態の図である。
【図６】図６は、本考案にかかるソフトケースの音響校正時の例を示した図である。
【考案を実施するための形態】
【００１２】
以下、本考案の実施の形態を図に基づいて説明する。
【実施例】
【００１３】
図１〜４、６は本考案の実施例に係る音響校正器用ソフトケース４を示す。このソフトケース４は音響校正器１３を収容する。マイクロホンを使用する騒音計等の音響測定器の精度を維持するためには、定期的にマイクロホンの音響校正を行う必要があり、そのため一般に音響校正器が用いられている。
音響校正器１３の機器本体は略直方体形状であり、マイクロホンを挿入するカプラ部（マイクロホン挿入口）を有する。カプラ部にはマイクロホンの直径に応じたアダプタを着脱自在に装着することでマイクロホン挿入口の口径を変更できる。
【００１４】
ソフトケース４は音響校正器１３に合わせた略直方体形状であり、音響校正器１３を収容するケース本体５、ケース本体の特定面を開口部６、音響校正器１３のカプラ部に対応するマイク挿入面７、音響校正器１３のカプラ部に対応するマイク挿入穴部７Ａ、ケース本体５の開口部６の辺縁部に設けた舌状のカバー部８、カバー部８の一端部の表面に設けた係止部材としての凹型スナップボタン９、カバー部８の一端部に設けた係止部材としての面ファスナー１０Ａ及び面ファスナー１０Ａに対応するようにケース本体５に設けた係止部材としての面ファスナー１０Ｂ、開口部６に対向する側面に凹型スナップボタン９に対応するように設けた係止部材としての凸型スナップボタン１１を備える。カバー部８はケース本体５の辺縁部１４に接続される。また、カバー部８はケース本体５と一体であってもよい。さらにまた、ソフトケースの材質は、合成皮革が好ましい。
【００１５】
ソフトケース４に音響校正器１３を収容するときには、まず図２のようにケース本体からカバー部を開放し、図３のように開口部６から音響校正器１３を進入させ、図１のようにカバー部８で開口部６とマイク挿入面７を覆い、面ファスナー１０Ａ、１０Ｂでカバー部８の一部をケース本体５に係止して収容する。
【００１６】
音響校正時には、図３のようにケース本体５の開口部６を露出した状態で、図４のようにカバー部８でマイク挿入面の反対側の側面を覆い、ケース本体５の開口部６に対向する側面にある凸型スナップボタン１１で、カバー部８の凹型スナップボタン９を係止して使用する。図６のように音響校正器１３と音響校正器用ソフトケースが一体になったものをマイク挿入穴部７Ａが下方向に向くように配置し、図６のように騒音計のマイクロホンを挿入し校正する。この時、カバー部８はケース本体５に係止しているので校正作業の邪魔になることがない。
【００１７】
また、ケース本体５のマイク挿入面７に設けたマイク挿入穴部７Ａの直径を音響校正器１３のマイクロホンのサイズに応じたアダプタの外径より大きくすることで、マイクアダプタの着脱のたびに音響校正器１３をソフトケース４から取り出す必要がなくなり、その結果、公知例と比べて操作性が向上及び音響校正器１３が剥き出しになる機会の減少させることにより音響校正器１３を衝撃や塵等の破損の危険性から守ることが出来るようになる。なお、本実施例においては、係止手段に面ファスナー及びスナップボタンを用いたが、本考案はこれに限定されるものではなく、フックやマグネットでも良い。
【産業上の利用可能性】
【００１８】
本考案は、音響校正器の保護をしながら、音響校正の精度及び操作性を向上することが出来るため、産業上の利用可能性を有している。
【符号の説明】
【００１９】
４    ソフトケース
５    ケース本体
６    開口部
７    マイク挿入面  
７Ａ  マイク挿入穴部
８    カバー部
９    凹型スナップボタン
１０Ａ、１０Ｂ  面ファスナー
１１  凸型スナップボタン
１２  騒音計
１３  音響校正器    
１４  辺縁部
【図１】
0003212879.tif 000003
【図２】
0003212879.tif 000004
【図３】
0003212879.tif 000005
【図４】
0003212879.tif 000006
【図５】
0003212879.tif 000007
【図６】
0003212879.tif 000008